(57)【特許請求の範囲】
【請求項１】
前身頃を備え、
前記前身頃は、前身頃本体と、該前身頃本体における着用者の下腹部を被覆する下腹部被覆部に重ねられた重ね布と、該重ね布の一部に重なるように前記重ね布に接合された補強布とを有し、
前記重ね布は、両側端縁部が前記前身頃本体に接合されて、前記下腹部被覆部の伸縮を抑制するものであり、
前記補強布の下端縁が、前記重ね布の下端縁よりも上方に配されている、ズボン。
【請求項２】
前記補強布は、下端縁が前記下腹部被覆部の中央部から左上方向及び右上方向のそれぞれに沿って傾斜しながら延びる第１補強片を有する、請求項１に記載のズボン。
【請求項３】
前記補強布は、さらに、上端縁が前記下腹部被覆部の前記中央部から左下方向及び右下方向のそれぞれに沿って傾斜しながら延びる第２補強片を有し、
前記第２補強片の下端縁が、前記前身頃本体における前記着用者の鼠径部を被覆する部分よりも上方に配されている、請求項２に記載のズボン。
【請求項４】
前記第２補強片が、前記下腹部被覆部の前記中央部において前記第１補強片と重なるように配されている、請求項３に記載のズボン。
【発明の詳細な説明】
【技術分野】
【０００１】
本発明は、ズボンに関する。
【背景技術】
【０００２】
従来、着用者の外観を良好にするための機能を有するズボンが知られている（例えば、特許文献１）。
【０００３】
図８は、このような機能を有する従来技術に係るズボンを示しており、該ズボンの前身頃の裏側における上側部分を拡大して示す図である。図８のズボンは、前身頃本体１００と、前身頃本体１００に重ねられた重ね布２００とを有する前身頃を備え、重ね布２００が、前身頃本体１００の上端縁部から股下部の上部までを被覆する部分に重なる一層の生地片によって構成されている。このズボンによれば、前身頃本体１００における重ね布２００の重なった部分が、着用者の下腹部から大腿部の上部を押さえるように機能するため、着用者の下腹部における出っ張りを抑制し、この部分における着用者の外観を良好なものとすることができる。
【先行技術文献】
【特許文献】
【０００４】
【特許文献１】特許第３６０５８０８号明細書
【発明の概要】
【発明が解決しようとする課題】
【０００５】
しかしながら、従来技術のズボンは、重ね布の着用者の下腹部を押さえる機能が不十分となる場合がある。
一方、上記機能を高めるために、重ね布を補強することが考えられるが、該補強によっては、着用者に圧迫感が生じ、着用者に不快感を与えるおそれがある。特に、着用者が着席するなどして該着用者が鼠径部を屈曲させた状態となった場合、該圧迫感が生じ易くなる。
【０００６】
そこで、上記事情に鑑み、本発明は、比較的、着用者の下腹部を押さえる機能に優れるとともに、着用者に対する圧迫感を抑制することができるズボンを提供することを課題とする。
【課題を解決するための手段】
【０００７】
本発明に係るズボンは、
前身頃を備え、
前記前身頃は、前身頃本体と、該前身頃本体における着用者の下腹部を被覆する下腹部被覆部に重ねられた重ね布と、該重ね布の一部に重なるように前記重ね布に接合された補強布とを有し、
前記補強布の下端縁が、前記重ね布の下端縁よりも上方に配されている。
【０００８】
斯かる構成によれば、重ね布に補強布が接合されていることによって、重ね布が補強されるため、着用者の下腹部における出っ張りが抑制される。また、補強布の下端縁が重ね布の下端縁よりも上方に配されていることによって、重ね布におけるその下端縁から補強布の下端縁までの部分の自由度が高まり、着用者に対する圧迫感を抑制することができる。
【０００９】
また、本発明に係るズボンは、好ましくは、
前記補強布が、下端縁が前記下腹部被覆部の中央部から左上方向及び右上方向のそれぞれに沿って傾斜しながら延びる第１補強片を有する。
【００１０】
斯かる構成によれば、下端縁が上記のように傾斜しながら延びる第１補強片を有することによって、着用者の下腹部が中央部から左上方向及び右上方向に持ち上げられるようにして押さえられるため、該下腹部の出っ張りやすい部分をより押さえ易くなる。
【００１１】
また、本発明に係るズボンは、好ましくは、
前記補強布が、さらに、上端縁が前記下腹部被覆部の前記中央部から左下方向及び右下方向のそれぞれに沿って傾斜しながら延びる第２補強片を有し、
前記第２補強片の下端縁が、前記前身頃本体における前記着用者の鼠径部を被覆する部分よりも上方に配されている。
【００１２】
斯かる構成によれば、上端縁が上記のように傾斜しながら延びる第２補強片によって、着用者の下腹部が下側から支えられるようにして押さえられる。また、第２補強片の下端縁が前記前身頃本体における前記着用者の鼠径部を被覆する部分（鼠径部被覆部）よりも上方に配されることによって、着用者が着席するなどした場合の該着用者に対する圧迫感を抑制することができる。
【００１３】
また、本発明に係るズボンは、好ましくは、
前記第２補強片が、前記下腹部被覆部の前記中央部において前記第１補強片と重なるように配されている。
【００１４】
斯かる構成によれば、第２補強片が前記下腹部被覆部の中央部において第１補強片と重なるように配されることによって、前記下腹部において比較的出っ張りやすい中央部を重点的に押さえることができる。
【発明の効果】
【００１５】
以上の通り、本発明によれば、比較的、着用者の下腹部を押さえる機能に優れるとともに、着用者に対する圧迫感を抑制することができるズボンを提供することができる。
【図面の簡単な説明】
【００１６】
【図１】図１は、第１実施形態に係るズボンを正面側から見た図であり、言い換えれば、前身頃を表側から見た図である。
【図２】図２は、図１のズボンにおける前身頃の裏側を示し、股上部分を拡大して示す図である。
【図３】図３は、図２のＩＩＩ−ＩＩＩ線断面図である。
【図４】図４は、第２実施形態に係るズボンにおける前身頃の裏側を示し、股上部分を拡大して示す図である。
【図５】図５は、第３実施形態に係るズボンにおける前身頃の裏側を示し、股上部分を拡大して示す図である。
【図６】図６は、実施例３に係るズボンにおける前身頃の裏側を示し、股上部分を拡大して示す図である。
【図７】図７は、実施例４に係るズボンにおける前身頃の裏側を示し、股上部分を拡大して示す図である。
【図８】図８は、従来技術に係るズボンにおける前身頃の裏側を示し、上側部分を拡大して示す図である。
【発明を実施するための形態】
【００１７】
以下、図１〜３を参照しつつ、本発明の第１実施形態に係るズボンについて説明する。なお、以下では、前記ズボンが図１のように広げられた状態において、該ズボンの幅方向を左右方向と称し、前記左右方向に直交する方向を上下方向と称することがある。また、前記左右方向は、前記ズボンを背面から見たときの左右方向を意味するものとする。また、前記ズボンの厚み方向に関して、これを着用した着用者Ａにより近い側を内側と称し、着用者Ａからより遠い側を外側と称することがある。
【００１８】
図１に示されるように、本実施形態に係るズボンは、着用者Ａの下腹部、鼠径部、及び両脚部を被覆する前身頃１を備えている。
【００１９】
図２及び図３に示されるように、前身頃１は、その主体となる生地片によって形成された前身頃本体１０と、前身頃本体１０の裏側に接合された重ね布２０と、重ね布２０の一部に重なるように重ね布２０に接合された補強布３０とを有している。また、図３に示されるように、前身頃１は、前身頃本体１０と重ね布２０とによって形成された２つの前ポケット６０を有している。前身頃１は、その両側端縁部が後見頃（不図示）の両側端縁部に接合されている。
【００２０】
前身頃１の各部分を構成する生地片どうしの接合は、糸による縫合が好ましいが、これに限定されず、例えば、熱による融着であってもよく、ボタンやフック等による係合であってもよい。
【００２１】
前身頃本体１０は、重ね布２０と補強布３０とを除く部分である。図１に示されるように、本実施形態の前身頃本体１０は、さらに、上端縁部１１に配されたウエスト帯４０と、ウエスト帯４０における下端縁４１の中央部から下方に向かって延びるように形成された前開き部５０とを備えている。
【００２２】
前身頃本体１０は、着用者Ａの前記下腹部を被覆する下腹部被覆部１２を少なくとも有している。本実施形態の前身頃本体１０は、下腹部被覆部１２の下方に配され且つ着用者Ａの前記鼠径部から両足首部までを被覆する両脚被覆部１３を有している。
【００２３】
図１に示されるように、本実施形態の前身頃本体１０は、着用者Ａの前記下腹部から前記両足首部までを被覆する主生地片１４と、主生地片１４及び重ね布２０とともに２つの前ポケット６０を形成するために主生地片１４の上側の両隅部に内側から重なるように配された両隅生地片１５とを有している。
【００２４】
図１に示されるように、本実施形態の主生地片１４は、着用者Ａの左下腹部から左足首部までを被覆する左生地片１４Ｌと、着用者Ａの右下腹部から右足首部までを被覆する右生地片１４Ｒとを含む。左生地片１４Ｌ及び右生地片１４Ｒは、それぞれの対向する端縁部の一部が接合されており、それによって、前身頃本体１０が、前記左右方向における中央部に前記上下方向に沿って延びるように形成された接合部１６を有するものとなっている。また、前見頃本体１０は、前開き部５０を形成するために左生地片１４Ｌと右生地片１４Ｒとが接合されずに接合部１６から左右に分岐し得るように形成された非接合部１７を有している。接合部１６及び非接合部１７は、前記上下方向において連続して延びるように配されている。
【００２５】
通常、接合部１６の長さは６〜１２ｃｍであり、非接合部１７の長さは１４〜２０ｃｍである。
【００２６】
図１に示されるように、左生地片１４Ｌ及び右生地片１４Ｒのそれぞれの上端縁部は、ウエスト帯４０の中央部に接合されており且つ互いに連続するように配された接合上端縁部１４１Ｌ、１４１Ｒと、前ポケット６０の開口端を形成するように接合上端縁部１４１Ｌ、１４１Ｒから両側端縁部に向かって下方に傾斜するように延びている非接合上端縁部１４２Ｌ、１４２Ｒとを含む。
【００２７】
図１に示されるように、両隅生地片１５Ｌ、１５Ｒは、扇状に形成されており、前身頃本体１０の上側の両隅部を形成している。両隅生地片１５Ｌ、１５Ｒは、非接合上端縁部１４２Ｌ、１４２Ｒを境界として上側部分が表出しており、下側部分が左生地片１４Ｌ又は右生地片１４Ｒに覆われた状態となっている。
【００２８】
両隅生地片１５Ｌ、１５Ｒは、その上端縁部１５１Ｌ、１５１Ｒがウエスト帯４０の下端縁部に接合されている。また、両隅生地片１５Ｌ、１５Ｒは、その側端縁部１５２Ｌ、１５２Ｒが前記後見頃（不図示）に接合されている。また、両隅生地片１５Ｌ、１５Ｒは、上端縁部１５１Ｌ、１５１Ｒと側端縁部１５２Ｌ、１５２Ｒとを接続する円弧状の接続端縁部１５３Ｌ、１５３Ｒを有しており、接続端縁部１５３Ｌ、１５３Ｒは重ね布２０に接合されている。
【００２９】
主生地片１４や両隅生地片１５などの前身頃本体１０を構成する生地片は、伸縮性を有することが好ましい。よって、前身頃本体１０を構成する生地片は、織物又は編物であることが好ましい。前身頃本体１０を構成する生地片が織物である場合、ＪＩＳ  Ｌ１０９６：２０１０に規定される伸び率（Ｂ法（織物の定荷重法））が、３〜１００％であることが好ましい。また、前身頃本体１０を構成する生地片が編物である場合、ＪＩＳ  Ｌ１０９６：２０１０に規定される伸び率（Ｄ法（編物の定荷重法））が、５〜１００％であることが好ましい。これによって、着用者Ａに対する圧迫感が抑制される。
【００３０】
図２〜５に示されるように、重ね布２０は、前身頃本体１０の下腹部被覆部１２に重ねられている。本実施形態の重ね布２０は、接合部１６を介して前記左右方向において線対称となるように配された一対の生地片によって構成されている。
【００３１】
重ね布２０の下端縁２１は、前記左右方向に沿って延びている。本実施形態の重ね布２０の下端縁２１は、前身頃本体１０の接合部１６に交差するように配されている。すなわち、下端縁２１が、前記上下方向において、接合部１６の下端よりも上方に且つ非接合部１７の下端よりも下方に配されている。
【００３２】
重ね布２０における、下端縁２１からウエスト帯４０の下端縁４１までの長さは、１７〜２３ｃｍであることが好ましい。本実施形態の下端縁２１は、前身頃本体１０における前記左右方向の中央部と、両側端部と、中央部及び両側端部の間の２つの中間部とにおいて、前記上下方向の位置が異なる波形状となっている。この場合、重ね布２０の前記長さは、前記中央部において１４〜２０ｃｍ（中央長さ）、前記両側端部において１４〜２０ｃｍ（側端長さ）、前記中間部において２０〜２６ｃｍ（中間長さ）であることが好ましい。
【００３３】
重ね布２０の下端縁２１は、前身頃本体１０における着用者Ａの前記鼠径部を被覆する部分（鼠径部被覆部）よりも上方に配されていてもよく、下方に配されていてもよい。また、重ね布２０の下端縁２１は、前記鼠径部被覆部に交差するように配されていてもよい。
【００３４】
図３に示されるように、本実施形態では、重ね布２０の上端縁２２は、ウエスト帯４０に重なるように配されている。この他、重ね布２０の上端縁２２は、ウエスト帯４０の下端縁４１よりも下方に位置するように配されてもよい。
【００３５】
重ね布２０の前記上下方向における長さは、１７〜２３ｃｍであることが好ましい。
【００３６】
本実施形態の重ね布２０は、着用者Ａの前記下腹部を全体的に被覆するものであり、前身頃本体１０の前記左右方向にわたって重なったものとなっている。このため、着用者Ａが前記ズボンを着用しようとするときに該ズボンを（特に前記左右方向に）伸縮し易くし、また、着用者Ａの着用しているときの窮屈感や圧迫感を抑制させるためには、重ね布２０の上端縁部又は下端縁部のいずれか一方は、他の部分を構成する生地片に接合されていないことが好ましい。一方、重ね布２０が着用者Ａの前記下腹部をより押さえ易くするためには、重ね布２０の両側端縁部が前身頃本体１０に接合されていることが好ましい。さらに、着用者Ａの窮屈感や圧迫感を抑制させつつ、着用者Ａの前記下腹部を押さえ易くするためには、重ね布２０の両側端縁部が前身頃本体１０に接合され、重ね布２０の上端縁部が前身頃本体１０に接合され、且つ、重ね布２０の下端縁部が他の部分を構成する生地片に接合されていないことによって下端縁２１が自由端となっていることが好ましい。このように、重ね布２０は、下腹部被覆部１２の伸縮を抑制するものであることが好ましい。
【００３７】
さらに、図３に示されるように、本実施形態の重ね布２０は、二重構造となっている。具体的には、重ね布２０は、前身頃本体１０と直接的に重なった（外側の）第１重ね布２３と、第１重ね布２３を介して前身頃本体１０に重なった（内側の）第２重ね布２４とを含む。
【００３８】
第１重ね布２３及び第２重ね布２４は、それぞれの両側端縁部が前身頃本体１０の両側端縁部に接合されている。また、第１重ね布２３の上端縁部は、主生地片１４の上端縁部に接合されている。また、第２重ね布２４の上端縁部は、両隅生地片１５に内側から接合されている。また、第１重ね布２３及び第２重ね布２４のそれぞれの下端縁部どうしは、それぞれの下端縁が位置ずれしないように接合されており、それによって、重ね布２０の下端縁２１を構成している。
【００３９】
上記のような接合によって、第１重ね布２３及び第２重ね布２４は、両隅生地片１５とともに、上方に開口した前ポケット６０を形成している。重ね布２０が、着用者Ａの前記下腹部を押さえるだけでなく、前ポケット６０の形成にも関わることによって、前ポケット６０専用の生地片が使用されなくて済むため好ましい。
【００４０】
本実施形態の補強布３０は、重ね布２０と同様に、接合部１６を介して線対称となるように配されている。
【００４１】
補強布３０は、重ね布２０の特定の部分に重ねられることによって、着用者Ａの前記下腹部における出っ張りやすい部分を重点的に押さえつつ、着用者Ａに対する圧迫感を抑制するように配されていることが好ましい。
【００４２】
例えば、ズボンを着用した着用者Ａの外観においては、前記下腹部の中央部よりも上側部分が、出っ張り易く、目立ちやすくなる。特に、前開き部５０を備えるズボンの場合、このような上側部分における出っ張りが生じ易くなる。このような観点から、前身頃本体１０における前記上側部分を被覆する部分に重なるように、補強布３０が配されていることが好ましい。
一方、着用者Ａが着席したりしゃがんだりして着用者Ａが鼠径部を屈曲させた状態になった場合には、着用者Ａに圧迫感が生じやすくなる。このような観点から、前身頃本体１０の前記鼠径部被覆部には、補強布３０が配されていないことが好ましい。
【００４３】
具体的には、図２、４及び５に示されるように、補強布３０は、その下端縁３０１が重ね布２０の下端縁２１よりも上方に配されていることが重要である。これによって、重ね布２０は、補強布３０が重なった補強領域２５と、補強布３０の下端縁３０１よりも下側に、補強布３０が重なっていない非補強領域２６とを有するものとなる。本実施形態では、補強布３０の下端縁３０１の全体が、重ね布２０の下端縁２１と重ならずに下端縁２１よりも上方に配されており、それによって、重ね布２０が、前記左右方向にわたって延在する第１非補強領域２６１を有するものとなっている。
【００４４】
補強布３０の下端縁３０１と重ね布２０の下端縁２１の間隔は、前身頃本体１０における前記左右方向における中央部において２〜９ｃｍ又は２〜６ｃｍ（中央間隔）、前身頃本体１０における前記左右方向における両側端部において２〜８ｃｍ（側端間隔）、前身頃本体１０における前記左右方向における中央部及び両側端部の間の２つの中間部において２〜１０ｃｍ（中間間隔）であることが好ましい。
【００４５】
また、図２及び図４に示されるように、補強布３０は、下端縁３１１が下腹部被覆部１２の中央部から左上方向及び右上方向のそれぞれに沿って傾斜しながら延びる第１補強片３１を有することが好ましい。
さらに、補強布３０は、上端縁３２２が下腹部被覆部１２の中央部から左下方向及び右下方向のそれぞれに沿って傾斜しながら延びる第２補強片３２を有していることが好ましい。また、この場合、第２補強片３２の下端縁３２１は、前身頃本体１０の前記鼠径部被覆部よりも上方に配されることが好ましい。第２補強片３２の下端縁３２１は、前記左右方向に並行するように配されていてもよく、前記左右方向に対して傾斜するように配されていてもよい。
【００４６】
第１補強片３１は、下腹部被覆部１２の中央部から左方向及び右方向に向かって幅が狭くなるように形成されていることが好ましい。これによって、着用者Ａの前記下腹部が、上方に支えられるようにして押さえられ易くなる。
【００４７】
また、第２補強片３２も、第１補強片３１と同様に、下腹部被覆部１２の中央部から前記左方向及び前記右方向に向かって幅が狭くなるように形成されていることが好ましい。これによって、着用者Ａの前記下腹部が、さらに上方に支えられるようにして押さえられ易くなる。
【００４８】
補強布３０が第１補強片３１及び第２補強片３２を有する場合、これらが下腹部被覆部１２の中央部において重なり合っていることが好ましい。また、重ね布２０が、第１補強片３１及び第２補強片３２の両方が重なった強補強領域２５１と、第１補強片３１の下端縁３１１及び第２補強片３２の上端縁３２２のそれぞれの間に形成された対をなす第２非補強領域２６２とを有することが好ましい。これによって、前身頃本体１０における、着用者Ａの下腹部における骨盤の出っ張った部分（比較的押さえる必要に乏しい部分）に第２非補強領域２６２が配され得るため、着用者Ａに無用の圧迫感が生じることを抑制することができる。
【００４９】
また、図４のように、第１補強片３１の上端縁３１２がウエスト帯４０の下端縁４１よりも下方に配されていてもよい。例えば、第１補強片３１が、前記左上方向及び前記右上方向に沿って一定の幅を有するように形成された帯状であってもよい。また、重ね布２０が、第１補強片３１の上端縁３１２とウエスト帯４０の下端縁４１との間に形成された第３非補強領域２６３を有していてもよい。
【００５０】
また、第２補強片３２が、前記左下方向及び前記右下方向に沿って一定の幅を有するように形成された帯状であってもよい。
【００５１】
第１補強片３１及び第２補強片３２は、少なくともその両側端縁部が重ね布２０（具体的には、内側の第２重ね布２４）に接合されていることが好ましい。また、第１補強片３１及び第２補強片３２は、その端縁部の全てが重ね布２０に接合されていることがより好ましい。これによって、重ね布２０の補強領域２５における伸縮がさらに低減されるため、補強領域２５が着用者Ａの前記下腹部をさらに押さえ易くなる。
【００５２】
重ね布２０及び補強布３０は、織物や編物などから切り出された生地片によって構成されることが好ましい。また、重ね布２０及び補強布３０は、ＪＩＳ  Ｌ  ０２１４：１９８３に規定された機械レースから切り出された生地片によって構成されてもよい。前記機械レースとしては、トリコットレースやパワーネットが好ましい。
【００５３】
重ね布２０及び補強布３０を構成するための生地片が織物である場合、ＪＩＳ  Ｌ１０９６：２０１０に規定される伸び率（Ｂ法（織物の定荷重法））が、３〜１００％であることが好ましい。また、重ね布２０及び補強布３０を構成するための生地片が編物である場合、ＪＩＳ  Ｌ１０９６：２０１０に規定される伸び率（Ｄ法（編物の定荷重法））が、５〜１００％であることが好ましい。これによって、着用者Ａの下腹部を適度に押圧しつつ、着用者Ａに対する圧迫感が抑制される。
【００５４】
重ね布２０を構成する生地片及び補強布３０を構成する生地片の伸縮方向Ｄについて説明する。伸縮方向Ｄは、前記生地片の任意の点を支点として該生地片をその延在方向のうちの任意の方向に伸ばしたときに、最も伸びる割合の大きい方向、言い換えれば、最も高い伸縮性を示す方向を意味するものとする。例えば、織物の場合、通常は、該織物のバイアス方向が伸縮方向Ｄに相当することとなる。また、前記パワーネットの場合、ＪＩＳ  Ｌ  ０２１４：１９８３において該パワーネットは「弾性糸などを編みこみ，たて方向に対して著しい弾力性を与えた編レース」と定義されていることから、該たて方向が、伸縮方向Ｄに相当することとなる。
【００５５】
図２、４及び５に示されるように、重ね布２０の伸縮方向Ｄ１は、前記左右方向に並行していることが好ましい。これによって、着用者Ａが着用しようとする際に着用し易くなり、また、着用した着用者Ａに対する圧迫感を抑制することができる。また、重ね布２０がこのような伸縮方向で配される場合、着用者Ａの前記下腹部を押さえるための重ね布２０の機能を優れたものとするために、重ね布２０は、前記パワーネットによって構成されていることが好ましい。
【００５６】
前記左右方向に対して伸縮方向Ｄ１が傾く角度は、±１０°以内の範囲であることが好ましく、±５°以内の範囲であることがより好ましい。
【００５７】
補強布３０の伸縮方向Ｄ２は、重ね布２０の伸縮方向Ｄ１に交差する方向であることが好ましい。言い換えれば、補強布３０は、重ね布２０の伸縮を抑制するように重ね布２０に接合されていることが好ましい。具体的には、重ね布２０の伸縮方向Ｄ１に対する補強布３０の伸縮方向Ｄ２の交差角度θ（鋭角又は直角）が、４５〜９０°であることが好ましく、６０〜９０°であることがより好ましく、７５〜９０°であることがさらに好ましい。このような伸縮方向Ｄ２の補強布３０が重ね布２０に重ねられることによって、この重なった部分において、重ね布２０の伸縮方向Ｄ１における伸縮が低減される。言い変えれば、補強領域２５において、伸縮方向Ｄ１における重ね布２０の伸縮が低減されるため、前身頃本体１０における補強領域２５が重なった部分が、着用者Ａの前記下腹部を押さえ易くなる。
【００５８】
以上のように、本実施形態に係るズボンは、補強布３０によって補強された重ね布２０を有するため、着用者Ａの前記下腹部を押さえる機能に優れ、且つ、該下腹部に対する圧迫感が抑制されたものとなっている。このような機能に優れるため、前記ズボンは、着用者Ａのシルエットを美しく見せるために比較的幅が狭くなるように形成された細身タイプのものであってもよい。また、前記ズボンは、女性用であることが特に好ましい。
【００５９】
なお、本発明に係るズボンは、上記実施形態の構成に限定されるものではない。また、本発明に係るズボンは、上記した作用効果により限定されるものでもない。本発明に係るズボンは、本発明の要旨を逸脱しない範囲で種々の変更が可能である。
【００６０】
例えば、上記実施形態では、前身頃１が前開き部５０を備える態様を示したが、前身頃１は前開き部５０を備えていなくてもよい。すなわち、前身頃本体１０を構成する左生地片１４Ｌ及び右生地片１４Ｒは、着用者Ａの股上を被覆する部分において、左右に分岐することなく対向する端縁部どうしが接合されていてもよい。
この場合、重ね布２０は、前身頃本体１０の左側端縁部から右側端縁部にわたって延在する一つなぎの生地片によって構成されてもよい。また、補強布３０も、前身頃本体１０の左側端縁部から右側端縁部にわたって延在する一つなぎの生地片によって構成されていてもよい。
【実施例】
【００６１】
次に、実施例を例示して本発明をさらに具体的に説明する。
【００６２】
本実施例では、下記表２に示す前身頃本体を備えた下記表１に示す寸法のズボンをベースとし、補強布の大きさ及び形状、並びに、配置について評価した。
【００６３】
【表１】
0006937060.tif 000002
【００６４】
【表２】
0006937060.tif 000003
【００６５】
［実施例１］
パワーネット生地（伸縮方向Ｄの伸び率５９％、伸縮方向Ｄに直交する方向の伸び率２５％）から、図４に示される形状の重ね布及び補強片を切り出した。
次に、図４及び表４に示される配置となるように、補強片の全ての端縁部を重ね布に縫合し、補強片が縫合された重ね布を左右一対作製した。
下記表３及び表４に示される配置となるように、左右一対の重ね布を前身頃本体に縫合した。このとき、重ね布の上端縁部を前身頃本体の上端縁部に接合し、且つ、重ね布の両側端縁部を前身頃本体の両側端縁部に縫合した。
前身頃と後見頃とを縫合し、実施例１に係るズボンとした。
【００６６】
［実施例２］
図５及び表４に示されるような形状及び大きさの補強布とした以外は、実施例１と同様にして実施例２に係るズボンを製造した。
【００６７】
［実施例３］
図６及び表４に示されるように、補強布の下端縁の一部を重ね布の下端縁と重なるように配した以外は、実施例１と同様にして実施例３に係るズボンを製造した。
【００６８】
［実施例４］
図７及び表４に示されるように、重ね布の前記左右方向における中央部に前記上下方向にわたって配された中央補強片と、重ね布の中央部から左下方向及び右下方向に傾斜するように配された下方傾斜補強片とで補強布を構成した以外は、実施例１と同様にして実施例４に係るズボンを製造した。
【００６９】
【表３】
0006937060.tif 000004
【００７０】
【表４】
0006937060.tif 000005
【００７１】
［評価方法］
製造した４つのズボンについて、下腹部が抑えられている感覚及び圧迫感の感じにくさという観点から評価を実施した。具体的には、上記観点に基づいて、１３名の試着者（全て女性）による順位付けを実施した。また、順位を点数化するために、１位のものに４点、２位のものに３点、３位のものに２点、及び、４位のものに１点を付与することとした。
【００７２】
【表５】
0006937060.tif 000006
【００７３】
表５に示したように、実施例１及び２に係るズボンの評価が比較的高く、実施例２に係るズボンの評価がとりわけ高かった。
【００７４】
［実施例５］
図２に及び表４に示されるような形状及び大きさの補強布とした以外は、実施例１と同様にして、実施例５に係るズボンを製造した。
【００７５】
実施例５に係るズボンについて、上記と同様に評価したところ、実施例１及び２に係るズボンと比較して、さらに良好なものである評価された。
【００７６】
［実施例６］
実施例５における補強布を構成する生地片を、パワーネットから該パワーネットよりも伸び率の小さい（１／２未満の）織物に変更した以外は実施例５と同様のズボンを製造した。
【００７７】
実施例５に係るズボン及び実施例６に係るズボンについて、１２名の試着者（全て女性）により上記と同様に評価を実施した。その結果、実施例５がより良好であると評価した試着者は、８名であった。一方、実施例６がより良好であると評価した試着者は、４名であった。
この結果から、パワーネットによって構成された補強布を用いる方が、さらに、外観の向上に優れ且つ圧迫感の抑制に優れたものであることがわかった。
【符号の説明】
【００７８】
１：前身頃、
１０：前身頃本体、１１：上端縁部、１２：下腹部被覆部、１３：両脚被覆部、
１４：主生地片、１４１：接合上端縁部、１４２：非接合上端縁部、
１５：両隅生地片、１５１：上端縁部、１５２：側端縁部、１５３：接続端縁部、
１６：接合部、１７：非接合部、
２０：重ね布、２１：下端縁、２２：上端縁、２３：第１重ね布、２４：第２重ね布、
２５：補強領域、２５１：強補強領域、
２６：非補強領域、
２６１：第１非補強領域、２６２：第２非補強領域、２６３：第３非補強領域、
３０：補強布、３０１：下端縁、３１：第１補強片、３１１：下端縁、３１２：上端縁、
３２：第２補強片、３２１：下端縁、３２２：上端縁、
４０：ウエスト帯、４１：下端縁、
５０：前開き部、６０：前ポケット、
Ｄ：伸縮方向、Ｄ１：重ね布の伸縮方向、Ｄ２：補強布の伸縮方向
【要約】
【課題】比較的、着用者の下腹部を押さえる機能に優れるとともに、着用者に対する圧迫感を抑制することができるズボンを提供することを課題とする。
【解決手段】前身頃を備え、前記前身頃は、前身頃本体と、該前身頃本体における着用者の下腹部を被覆する下腹部被覆部に重ねられた重ね布と、該重ね布の一部に重なるように前記重ね布に接合された補強布とを有し、前記補強布の下端縁が、前記重ね布の下端縁よりも上方に配されている。
【選択図】図２【図１】
0006937060.tif 000007
【図２】
0006937060.tif 000008
【図３】
0006937060.tif 000009
【図４】
0006937060.tif 000010
【図５】
0006937060.tif 000011
【図６】
0006937060.tif 000012
【図７】
0006937060.tif 000013
【図８】
0006937060.tif 000014